(57)【要約】【課題】逆浸透膜モジュールから薬液を抜液しやすく、逆浸透膜モジュール内に残存する薬液の量が少なくなり、かつ逆浸透膜モジュール内での逆浸透膜エレメントの連結等の作業が容易である逆浸透膜ろ過装置および逆浸透膜の洗浄方法を提供する。【解決手段】１つ以上の逆浸透膜エレメント５０を収納した逆浸透膜モジュール１０Ａ、１０Ｂ、１０Ｃを備え、少なくとも、逆浸透膜モジュール１０Ａ、１０Ｂ、１０Ｃに通液した薬液を逆浸透膜モジュール１０Ａ、１０Ｂ、１０Ｃの第１の給排水管３２（抜液口）から抜液するとき、逆浸透膜モジュール１０Ａ、１０Ｂ、１０Ｃの中心軸が、抜液口に向かって下りの傾斜となるように水平に対して傾いている、逆浸透膜ろ過装置１。【選択図】図２
2018183730.tif 000002
【特許請求の範囲】
【請求項１】
１つ以上の逆浸透膜エレメントを収納した逆浸透膜モジュールを備え、
少なくとも、前記逆浸透膜モジュールに通液した薬液を前記逆浸透膜モジュールの抜液口から抜液するとき、前記逆浸透膜モジュールの中心軸が、前記抜液口に向かって下りの傾斜となるように水平に対して傾いている、逆浸透膜ろ過装置。
【請求項２】
前記薬液を抜液するときの前記逆浸透膜モジュールの中心軸の傾斜角が、０．５〜８９．５°である、請求項１に記載の逆浸透膜ろ過装置。
【請求項３】
前記逆浸透膜モジュールを固定する架台と、
前記逆浸透膜モジュールの傾斜を変化させるように前記架台の少なくとも一部を昇降させる昇降手段とをさらに備える、請求項１または２に記載の逆浸透膜ろ過装置。
【請求項４】
前記逆浸透膜モジュールを傾斜した状態で固定する架台をさらに備える、請求項１または２に記載の逆浸透膜ろ過装置。
【請求項５】
前記逆浸透膜モジュールを固定する架台をさらに備え、
前記架台が、傾斜した場所に設置されている、請求項１または２に記載の逆浸透膜ろ過装置。
【請求項６】
前記逆浸透膜モジュールが、前記抜液口よりも低い位置にある前記逆浸透膜モジュール内の空間に薬液が滞留しにくくするために充填された充填物を有する、請求項１〜５のいずれか一項に記載の逆浸透膜ろ過装置。
【請求項７】
前記逆浸透膜モジュールが、２つ以上の逆浸透膜エレメントを直列に収納した、請求項１〜６のいずれか一項に記載の逆浸透膜ろ過装置。
【請求項８】
請求項１〜７のいずれか一項に記載の逆浸透膜ろ過装置における逆浸透膜を洗浄する方法であり、
前記逆浸透膜モジュールに薬液を通液して逆浸透膜を洗浄した後、
前記逆浸透膜モジュールが前記抜液口に向かって下りの傾斜となるように水平に対して傾いた状態にて、前記抜液口から前記薬液を抜液する、逆浸透膜の洗浄方法。
【発明の詳細な説明】
【技術分野】
【０００１】
本発明は、原水を逆浸透膜で膜ろ過する逆浸透膜ろ過装置および逆浸透膜ろ過装置における逆浸透膜の洗浄方法に関する。
【背景技術】
【０００２】
原水を逆浸透膜で膜ろ過する逆浸透膜ろ過装置は、通常、１つ以上の逆浸透膜エレメントを円筒状のベッセル内に収納した逆浸透膜モジュール（逆浸透膜ユニットとも呼ばれる。）を備える。
逆浸透膜ろ過装置としては、逆浸透膜モジュールの中心軸が鉛直方向となるように逆浸透膜モジュールが設置された縦置きタイプ（特許文献１）と、逆浸透膜モジュールの中心軸が水平方向となるように逆浸透膜モジュールが設置された横置きタイプ（特許文献２）とがある。
【０００３】
ところで、原水を逆浸透膜で膜ろ過し続けると、原水中の有機物や無機物が逆浸透膜の表面に付着し、逆浸透膜のファウリング等の問題が生じる。逆浸透膜のファウリングが生じると、逆浸透膜の性能（透過流量、塩阻止率等）が低下し、また、圧力損出が増加して逆浸透膜の寿命に影響する。そのため、定期的にまたは随時、逆浸透膜モジュールに薬液を通液して逆浸透膜を洗浄することが行われる。
【先行技術文献】
【特許文献】
【０００４】
【特許文献１】特許第５１４１８５５号公報
【特許文献２】特許第５２５１５２２号公報
【発明の概要】
【発明が解決しようとする課題】
【０００５】
薬液によって逆浸透膜を洗浄する場合、逆浸透膜モジュール内に残存する薬液の量によって、その後のリンスや中和処理に必要となる水の量が大きく影響される。そのため、薬液によって逆浸透膜を洗浄した後、逆浸透膜モジュールからできるだけ多くの薬液を抜液し、逆浸透膜モジュール内に残存する薬液の量をできるだけ減らすことが求められる。
【０００６】
縦置きタイプの逆浸透膜ろ過装置においては、逆浸透膜モジュールから薬液を抜液しやすく、逆浸透膜モジュール内に残存する薬液の量は少ない。しかし、２つ以上の逆浸透膜エレメントをベッセル内に直列に収納した逆浸透膜モジュールの場合、逆浸透膜モジュールの高さが高くなりすぎる。そのため、逆浸透膜モジュールを縦置きで設置したまま、逆浸透膜モジュール内での逆浸透膜エレメントの連結等の作業が困難になる。
【０００７】
一方、横置きタイプの逆浸透膜ろ過装置においては、逆浸透膜モジュール内での逆浸透膜エレメントの連結等の作業が容易である。しかし、逆浸透膜モジュールから薬液を抜液しにくく、逆浸透膜モジュール内に残存する薬液の量が多くなる。
【０００８】
本発明は、逆浸透膜モジュールから薬液を抜液しやすく、逆浸透膜モジュール内に残存する薬液の量が少なくなり、かつ逆浸透膜モジュール内での逆浸透膜エレメントの連結等の作業が容易である逆浸透膜ろ過装置および逆浸透膜の洗浄方法を提供する。
【課題を解決するための手段】
【０００９】
本発明は、下記の態様を有する。
＜１＞１つ以上の逆浸透膜エレメントを収納した逆浸透膜モジュールを備え、少なくとも、前記逆浸透膜モジュールに通液した薬液を前記逆浸透膜モジュールの抜液口から抜液するとき、前記逆浸透膜モジュールの中心軸が、前記抜液口に向かって下りの傾斜となるように水平に対して傾いている、逆浸透膜ろ過装置。
＜２＞前記薬液を抜液するときの前記逆浸透膜モジュールの中心軸の傾斜角が、０．５〜８９．５°である、前記＜１＞の逆浸透膜ろ過装置。
＜３＞前記逆浸透膜モジュールを固定する架台と、前記逆浸透膜モジュールの傾斜を変化させるように前記架台の少なくとも一部を昇降させる昇降手段とをさらに備える、前記＜１＞または＜２＞の逆浸透膜ろ過装置。
＜４＞前記逆浸透膜モジュールを傾斜した状態で固定する架台をさらに備える、前記＜１＞または＜２＞の逆浸透膜ろ過装置。
＜５＞前記逆浸透膜モジュールを固定する架台をさらに備え、前記架台が、傾斜した場所に設置されている、前記＜１＞または＜２＞の逆浸透膜ろ過装置。
＜６＞前記逆浸透膜モジュールが、前記抜液口よりも低い位置にある前記逆浸透膜モジュール内の空間に薬液が滞留しにくくするために充填された充填物を有する、前記＜１＞〜＜５＞のいずれかの逆浸透膜ろ過装置。
＜７＞前記逆浸透膜モジュールが、２つ以上の逆浸透膜エレメントを直列に収納した、前記＜１＞〜＜６＞のいずれかの逆浸透膜ろ過装置。
＜８＞前記＜１＞〜＜７＞のいずれかの逆浸透膜ろ過装置における逆浸透膜を洗浄する方法であり、前記逆浸透膜モジュールに薬液を通液して逆浸透膜を洗浄した後、前記逆浸透膜モジュールが前記抜液口に向かって下りの傾斜となるように水平に対して傾いた状態にて、前記抜液口から前記薬液を抜液する、逆浸透膜の洗浄方法。
【発明の効果】
【００１０】
本発明の逆浸透膜ろ過装置によれば、逆浸透膜モジュールから薬液を抜液しやすく、逆浸透膜モジュール内に残存する薬液の量が少なくなり、かつ逆浸透膜モジュール内での逆浸透膜エレメントの連結等の作業が容易である。
本発明の逆浸透膜の洗浄方法によれば、逆浸透膜モジュールから薬液を抜液しやすく、逆浸透膜モジュール内に残存する薬液の量が少なくなり、かつ逆浸透膜モジュール内での逆浸透膜エレメントの連結等の作業が容易である。
【図面の簡単な説明】
【００１１】
【図１】逆浸透膜モジュールの一例を示す概略断面図である。
【図２】本発明の逆浸透膜ろ過装置の一例を示す概略断面図である。
【図３】図１の逆浸透膜ろ過装置の逆浸透膜モジュールから薬液を抜液する際の薬液の流れ方向を示す概略断面図である。
【図４】本発明の逆浸透膜ろ過装置の他の例を示す概略断面図である。
【図５】本発明の逆浸透膜ろ過装置の他の例を示す概略断面図である。
【図６】逆浸透膜モジュールの他の例を示す概略断面図である。
【発明を実施するための形態】
【００１２】
以下の用語の定義は、本明細書および特許請求の範囲にわたって適用される。
「逆浸透膜エレメント」は、集水管に逆浸透膜を固定したものを意味する。
「逆浸透膜モジュール」は、１つ以上の膜エレメントをベッセル等の容器内に収納したものを意味する。
数値範囲を示す「〜」は、その前後に記載された数値を下限値および上限値として含むことを意味する。
図１〜図６における寸法比は、説明の便宜上、実際のものとは異なったものである。
【００１３】
＜逆浸透膜モジュール＞
図１は、本発明の逆浸透膜ろ過装置に備えられた逆浸透膜モジュールの一例を示す概略断面図である。
逆浸透膜モジュール１０は、円筒状のベッセル２０と；ベッセル２０内に直列に収納された３つの円柱状の逆浸透膜エレメント５０とを備える。
本発明の逆浸透膜ろ過装置において逆浸透膜モジュール１０は、逆浸透膜モジュール１０の中心軸が第１の端部に向かって下りの傾斜となるように水平に対して傾斜角θで傾いている。
【００１４】
ベッセル２０は、逆浸透膜エレメント５０を収納する円筒状の収納部２２と；第１の端部側で収納部２２よりも拡径された第１の拡径部２４と；第２の端部側で収納部２２よりも拡径された第２の拡径部２６と；ベッセル２０の第１の端部の開口を塞ぐ第１の端板２８と；ベッセル２０の第２の端部の開口を塞ぐ第２の端板３０と；第１の拡径部２４の側壁に形成された下方に突出した第１の給排水管３２と；第１の拡径部２４の側壁に形成された上方に突出した第２の給排水管３４と；第２の拡径部２６の側壁に形成された下方に突出した第３の給排水管３６と；第２の拡径部２６の側壁に形成された上方に突出した第４の給排水管３８と；第２の端板３０を貫通し、最も下流側の逆浸透膜エレメント５０の集水管５２の第２の端部に接続された透過水排出管４０とを有する。
ベッセル２０の第１の拡径部２４の内部は第１の貯水空間４２とされ、第２の拡径部２６の内部は第２の貯水空間４４とされている。
【００１５】
逆浸透膜エレメント５０は、複数の集水孔（図示略）が形成された管状の集水管５２と；折り目部分に集水管５２が位置するように二つ折りにされ、かつ三方を液密に接着された状態で集水管５２に巻き回された逆浸透膜５４とを有する。
【００１６】
逆浸透膜モジュール１０は、第１の貯水空間４２において、第１の給排水管３２（抜液口）と第１の端板２８との間の、抜液口よりも低い位置にある空間に薬液が滞留しにくくするために充填された充填物１２と；最も上流側の逆浸透膜エレメント５０の集水管５２の第１の端部の開口を塞ぐエンドキャップ１４と；隣接する逆浸透膜エレメント５０の集水管５２同士、または逆浸透膜エレメント５０の集水管５２と透過水排出管４０とを連結する管状のジョイント１６とをさらに備える。
【００１７】
＜逆浸透膜ろ過装置＞
図２は、本発明の逆浸透膜ろ過装置の一例を示す概略断面図である。
逆浸透膜ろ過装置１は、鉛直方向に並べられた３本の逆浸透膜モジュール１０（逆浸透膜モジュール１０Ａ、逆浸透膜モジュール１０Ｂおよび逆浸透膜モジュール１０Ｃ）と；３本の逆浸透膜モジュール１０を固定する架台６０と；３本の逆浸透膜モジュール１０の傾斜を変化させるように架台６０の土台フレーム６６の端部を昇降させる昇降手段７０とを備える。
【００１８】
３本の逆浸透膜モジュール１０は、逆浸透膜モジュール１０の中心軸が抜液口に向かって下りの傾斜となるように水平に対して傾斜角θで傾いている。逆浸透膜モジュール１０の傾斜角θは、０．５°以上が好ましく、１°以上がより好ましく、３°がさらに好ましい。逆浸透膜モジュール１０の傾斜角θが前記範囲の下限値以上であれば、逆浸透膜モジュール１０から薬液をさらに抜液しやすく、逆浸透膜モジュール１０内に残存する薬液の量がさらに少なくなる。また、逆浸透膜モジュール１０の傾斜角θは、８９．５°以下が好ましく、６０°以下がより好ましく、４５°以下がさらに好ましい。逆浸透膜モジュール１０の傾斜が前記範囲の上限値以下であれば、逆浸透膜モジュール１０内での逆浸透膜エレメント５０の連結等の作業が容易になる。
【００１９】
架台６０は、３本の逆浸透膜モジュール１０の第１の端部側を固定する第１の縦フレーム６２と；３本の逆浸透膜モジュール１０の第２の端部側を固定する第２の縦フレーム６２と；第１の縦フレーム６２および第２の縦フレーム６２の基端が固定される土台フレーム６６とを有する。
【００２０】
昇降手段７０としては、ジャッキ等が挙げられる。昇降手段として、ジャッキの代わりにウィンチを設け、ウィンチによる吊り上げによって、逆浸透膜ろ過装置１（逆浸透膜モジュール１０）を傾斜させてもよい。
逆浸透膜ろ過装置１においては、少なくとも、３本の逆浸透膜モジュール１０に通液した薬液を逆浸透膜モジュール１０の第１の給排水管３２（抜液口）から抜液するとき、逆浸透膜モジュール１０が抜液口に向かって下りの傾斜となるように、昇降手段７０によって逆浸透膜モジュール１０の第２の端部側にある架台６０の土台フレーム６６の端部が持ち上げられている。
逆浸透膜ろ過装置１における逆浸透膜モジュール１０は、常時傾斜していてもよく、薬液を抜液するときのみに傾斜していてもよい。
【００２１】
３本の逆浸透膜モジュール１０においては、各管は以下のように接続されている。
逆浸透膜モジュール１０Ａの第２の給排水管３４と逆浸透膜モジュール１０Ｂの第１の給排水管３２とが通水可能に接続され、逆浸透膜モジュール１０Ａの第４の給排水管３８と逆浸透膜モジュール１０Ｂの第３の給排水管３６とが通水可能に接続されることによって、逆浸透膜モジュール１０Ａと逆浸透膜モジュール１０Ｂとが連結されている。
【００２２】
逆浸透膜モジュール１０Ｂの第２の給排水管３４と逆浸透膜モジュール１０Ｃの第１の給排水管３２とが通水不可に接続され、逆浸透膜モジュール１０Ｂの第４の給排水管３８と逆浸透膜モジュール１０Ｃの第３の給排水管３６とが通水可能に接続されることによって、逆浸透膜モジュール１０Ｂと逆浸透膜モジュール１０Ｃとが連結されている。
【００２３】
逆浸透膜モジュール１０Ａの第１の給排水管３２には、原水供給管１００が接続されている。
逆浸透膜モジュール１０Ｃの第１の給排水管３２には、途中に抜液バルブ１０２が設けられた抜液管１０４が接続されている。
逆浸透膜モジュール１０Ｃの第２の給排水管３４には、濃縮水管１０６が接続されている。
３本の逆浸透膜モジュール１０の透過水排出管４０には、それぞれ透過水管１０８が接続されている。
逆浸透膜モジュール１０Ａの第３の給排水管３６は、止水蓋１１０で塞がっている。
逆浸透膜モジュール１０Ｃの第４の給排水管３８は、止水蓋１１２で塞がっている。
【００２４】
＜原水の膜ろ過方法＞
逆浸透膜ろ過装置１における逆浸透膜５４で原水を膜ろ過する際の原水、透過水および濃縮水の流れを図１に示す。
抜液管１０４の抜液バルブ１０２を閉じる。
原水供給管１００から供給された原水は、逆浸透膜モジュール１０Ａの第１の給排水管３２を通って逆浸透膜モジュール１０Ａの第１の貯水空間４２に導入される。第１の貯水空間４２の原水の一部は、逆浸透膜エレメント５０に導入され、逆浸透膜５４を透過した透過水と逆浸透膜５４を透過しない濃縮水とに分離される。逆浸透膜５４を透過した透過水は、集水管５２および透過水排出管４０を通って透過水管１０８に送り出される。逆浸透膜５４を透過しない濃縮水は、逆浸透膜モジュール１０Ａの第２の貯水空間４４に導入された後、逆浸透膜モジュール１０Ａの第４の給排水管３８および逆浸透膜モジュール１０Ｂの第３の給排水管３６を通って逆浸透膜モジュール１０Ｂの第２の貯水空間４４に導入される。
【００２５】
逆浸透膜モジュール１０Ａの第１の貯水空間４２に導入された原水の残部は、逆浸透膜モジュール１０Ａの第２の給排水管３４および逆浸透膜モジュール１０Ｂの第１の給排水管３２を通って逆浸透膜モジュール１０Ｂの第１の貯水空間４２に導入される。第１の貯水空間４２の原水の一部は、逆浸透膜エレメント５０に導入され、逆浸透膜５４を透過した透過水と逆浸透膜５４を透過しない濃縮水とに分離される。逆浸透膜５４を透過した透過水は、集水管５２および透過水排出管４０を通って透過水管１０８に送り出される。逆浸透膜５４を透過しない濃縮水は、逆浸透膜モジュール１０Ｂの第２の貯水空間４４に導入され、逆浸透膜モジュール１０Ａから合流した濃縮水とともに、逆浸透膜モジュール１０Ｂの第４の給排水管３８および逆浸透膜モジュール１０Ｃの第３の給排水管３６を通って逆浸透膜モジュール１０Ｃの第２の貯水空間４４に導入される。
【００２６】
逆浸透膜モジュール１０Ｃの第２の貯水空間４４の濃縮水は、逆浸透膜エレメント５０に導入され、逆浸透膜５４を透過した透過水と逆浸透膜５４を透過しない再濃縮水とに分離される。逆浸透膜５４を透過した透過水は、集水管５２および透過水排出管４０を通って透過水管１０８に送り出される。逆浸透膜５４を透過しない再濃縮水は、逆浸透膜モジュール１０Ｃの第１の貯水空間４２に導入された後、逆浸透膜モジュール１０Ｃの第２の給排水管３４を通って濃縮水管１０６に送り出される。
【００２７】
＜逆浸透膜の洗浄方法＞
逆浸透膜ろ過装置１における逆浸透膜５４を洗浄する際には、３本の逆浸透膜モジュール１０に薬液を通液して逆浸透膜５４を洗浄した後、３本の逆浸透膜モジュール１０が第１の給排水管３２（抜液口）に向かって下りの傾斜となるように水平に対して傾いた状態にて抜液口から薬液を抜液する。
【００２８】
逆浸透膜ろ過装置１における逆浸透膜５４を洗浄する際の薬液の流れは、逆浸透膜５４で原水を膜ろ過する際の原水、透過水および濃縮水の流れと同じである。
３本の逆浸透膜モジュール１０の第１の給排水管３２（抜液口）から薬液を抜液する際の薬液の流れを図３に示す。
【００２９】
原水供給管１００からの薬液の供給を中止する。また、抜液管１０４の抜液バルブ１０２を開く。
逆浸透膜モジュール１０Ｃ内に残存する薬液は、自然落下によって逆浸透膜エレメント５０を通って逆浸透膜モジュール１０Ｃの第１の貯水空間４２に導入された後、逆浸透膜モジュール１０Ｃの第１の給排水管３２（抜液口）を通って抜液管１０４に送り出される。また、逆浸透膜モジュール１０Ｃの第２の貯水空間４４の薬液の一部は、自然落下によって逆浸透膜モジュール１０Ｃの第３の給排水管３６および逆浸透膜モジュール１０Ｂの第４の給排水管３８を通って逆浸透膜モジュール１０Ｂの第２の貯水空間４４に導入される。
【００３０】
逆浸透膜モジュール１０Ｂ内に残存する薬液は、逆浸透膜モジュール１０Ｃから合流した薬液とともに、自然落下によって逆浸透膜エレメント５０を通って逆浸透膜モジュール１０Ｂの第１の貯水空間４２に導入された後、逆浸透膜モジュール１０Ｂの第１の給排水管３２（抜液口）および逆浸透膜モジュール１０Ａの第２の給排水管３４を通って逆浸透膜モジュール１０Ａの第１の貯水空間４２に導入される。また、逆浸透膜モジュール１０Ｂの第２の貯水空間４４の薬液の一部は、自然落下によって逆浸透膜モジュール１０Ｂの第３の給排水管３６および逆浸透膜モジュール１０Ａの第４の給排水管３８を通って逆浸透膜モジュール１０Ａの第２の貯水空間４４に導入される。
【００３１】
逆浸透膜モジュール１０Ａ内に残存する薬液は、逆浸透膜モジュール１０Ｂから合流した薬液とともに、自然落下によって逆浸透膜エレメント５０を通って逆浸透膜モジュール１０Ｂの第１の貯水空間４２に導入された後、逆浸透膜モジュール１０Ｂから合流した薬液とともに、自然落下によって逆浸透膜モジュール１０Ａの第１の給排水管３２（抜液口）を通って原水供給管１００に送り出される。
【００３２】
＜作用機序＞
以上説明した逆浸透膜ろ過装置１にあっては、３本の逆浸透膜モジュール１０に通液した薬液を逆浸透膜モジュール１０の第１の給排水管３２（抜液口）から抜液するとき、逆浸透膜モジュール１０の中心軸が、抜液口に向かって下りの傾斜となるように水平に対して傾いているため、自然落下によって薬液が第１の給排水管３２（抜液口）に向かって流れ、逆浸透膜モジュール１０内に薬液が滞留しにくい。そのため、逆浸透膜モジュール１０から薬液を抜液しやすく、逆浸透膜モジュール１０内に残存する薬液の量が少なくなる。その結果、抜液後のリンスや中和処理に必要となる水の量を少なくすることができる。
【００３３】
また、逆浸透膜ろ過装置１にあっては、逆浸透膜モジュール１０が、抜液口に向かって下りの傾斜となるように水平に対して傾いているため、縦置きタイプに比べ逆浸透膜モジュール１０の高さが高くなりすぎない。そのため、逆浸透膜モジュール１０が傾斜したまま、逆浸透膜モジュール１０内での逆浸透膜エレメント５０の連結等の作業が容易になる。
【００３４】
また、逆浸透膜ろ過装置１にあっては、逆浸透膜モジュール１０が、第１の給排水管３２（抜液口）よりも低い位置にある逆浸透膜モジュール１０内の空間に薬液が滞留しにくくするために充填された充填物１２を有するため、該空間に薬液が滞留しにくい。そのため、逆浸透膜モジュール１０から薬液を抜液しやすく、逆浸透膜モジュール１０内に残存する薬液の量が少なくなる。
【００３５】
また、逆浸透膜ろ過装置１にあっては、逆浸透膜モジュール１０の傾斜を変化させるように架台６０の少なくとも一部を昇降させる昇降手段７０をさらに備えるため、必要に応じて逆浸透膜モジュール１０の傾斜角θを変えることができる。そのため、逆浸透膜モジュール１０から薬液を抜液する際に逆浸透膜モジュール１０を傾斜させ、逆浸透膜モジュール１０から逆浸透膜エレメント５０を出し入れする際に逆浸透膜モジュール１０を容易に水平に戻すことができる。
【００３６】
＜他の実施形態＞
なお、本発明の逆浸透膜ろ過装置は、１つ以上の逆浸透膜エレメントを収納した逆浸透膜モジュールを備え、少なくとも、逆浸透膜モジュールに通液した薬液を逆浸透膜モジュールの抜液口から抜液するとき、逆浸透膜モジュールの中心軸が、抜液口に向かって下りの傾斜となるように水平に対して傾いているものであればよく、図２に示す逆浸透膜ろ過装置１に限定はされない。
【００３７】
例えば、図４に示すように、架台６０を傾斜させることなく、３本の逆浸透膜モジュール１０を傾斜した状態で架台６０に固定した逆浸透膜ろ過装置２であってもよい。
図５に示すように、架台６０を傾斜した場所に設置して、架台６０とともに３本の逆浸透膜モジュール１０を傾斜させた逆浸透膜ろ過装置３であってもよい。
逆浸透膜モジュールは、図示例の３本に限定はされず、１本であってもよく、２本であってもよく、４本以上であってもよい。
逆浸透膜モジュールの１本あたりの逆浸透膜エレメントの数は、図示例の３つに限定はされず、１つであってもよく、２つであってもよく、４つ以上であってもよい。ただし、逆浸透膜エレメントの数が１本だけでは、逆浸透膜モジュールを縦置きすることが可能になることから、逆浸透膜エレメントの数は、２本以上が好ましい。
逆浸透膜モジュールは、図１に示すような、給排水管がベッセル２０の拡径部の側壁に形成された、いわゆるサイドポートタイプに限定されず、図６に示すような、第１の給排水管４６がベッセル２１の第１の端板２８に形成され、第２の給排水管４８がベッセル２１の第２の端板３０に形成された、いわゆるエンドポートタイプの逆浸透膜モジュール１１であってもよい。
【実施例】
【００３８】
以下、本発明を実施例により具体的に説明するが、本発明はこれらに限定されるものではない。
【００３９】
（例１）
逆浸透膜モジュールとして、図１に示すような、８インチの逆浸透膜エレメント５０を３つ収納した逆浸透膜モジュール１０を用意した。
逆浸透膜モジュール１０を、第１の給排水管３２（抜液口）に向かって下りの傾斜となるように水平に対して３０°傾いた状態で固定した。
第１の給排水管３２から水を供給し、逆浸透膜モジュール１０内を満水とした。
自然落下によって第１の給排水管３２（抜液口）から水が排出されなくなるまで抜液した。
ベッセル２０内に残存している水を採取した。また、逆浸透膜エレメント５０を取り出し、逆浸透膜エレメント５０に含まれる水を採取した。採取された水の量は、０．８Ｌであった。
【００４０】
（例２）
例１と同じ逆浸透膜モジュール１０を用意した。
逆浸透膜モジュール１０を、中心軸が水平となるように固定した。
第１の給排水管３２から水を供給し、逆浸透膜モジュール１０内を満水とした。
自然落下によって第１の給排水管３２（抜液口）から水が排出されなくなるまで抜液した。
ベッセル２０内に残存している水を採取した。また、逆浸透膜エレメント５０を取り出し、逆浸透膜エレメント５０に含まれる水を採取した。採取された水の量は、５Ｌであった。
【産業上の利用可能性】
【００４１】
本発明の逆浸透膜ろ過装置は、薬液による逆浸透膜の洗浄の頻度が高くなるような、有機物や無機物を多く含む原水の膜ろ過に用いられる逆浸透膜ろ過装置として有用である。
【符号の説明】
【００４２】
１  逆浸透膜ろ過装置、２  逆浸透膜ろ過装置、３  逆浸透膜ろ過装置、１０  逆浸透膜モジュール、１０Ａ  逆浸透膜モジュール、１０Ｂ  逆浸透膜モジュール、１０Ｃ  逆浸透膜モジュール、１１  逆浸透膜モジュール、１２  充填物、１４  エンドキャップ、１６  ジョイント、２０  ベッセル、２１  ベッセル、２２  収納部、２４  第１の拡径部、２６  第２の拡径部、２８  第１の端板、３０  第２の端板、３２  第１の給排水管、３４  第２の給排水管、３６  第３の給排水管、３８  第４の給排水管、４０  透過水排出管、４２  第１の貯水空間、４４  第２の貯水空間、４６  第１の給排水管、４８  第２の給排水管、５０  逆浸透膜エレメント、５２  集水管、５４  逆浸透膜、６０  架台、６２  第１の縦フレーム、６４  第２の縦フレーム、６６  土台フレーム、７０  昇降手段、１００  原水供給管、１０２  抜液バルブ、１０４  抜液管、１０６  濃縮水管、１０８  透過水管、１１０  止水蓋、１１２  止水蓋、θ  傾斜角。
【図１】
2018183730.tif 000003
【図２】
2018183730.tif 000004
【図３】
2018183730.tif 000005
【図４】
2018183730.tif 000006
【図５】
2018183730.tif 000007
【図６】
2018183730.tif 000008